(57)【要約】【課題】現場において人力で運搬及び組み立てができるように各部材の重量が軽く、また、保管スペースを低減するために折り畳みができ、しかも、耐食性に優れた材料で形成され、区画内部の土砂などの圧力を受け持つことができる簡易型防護壁及びその組立方法を提供する。【解決手段】壁形成部材２０で囲った区画内に充填物Ｄを投入して簡易型防護壁を形成するための簡易型防護壁１を、複数本の支柱２１の間に膜体２２を設けて折り畳み可能に一体化した壁形成部材２０と、所定の間隔で整列配置された状態で前記支柱２１を支持する柱基部部材３０と、該柱基部部材３０に固定支持された前記支柱２１の相互間を連結する連結部材４０とから構成する。【選択図】　図１
2004060377.tif 000002
【特許請求の範囲】
【請求項１】
壁形成部材で囲った区画内に充填物を投入して簡易型防護設備を形成するための簡易型防護壁であって、複数本の支柱の間に膜体を設けて折り畳み可能に一体化した壁形成部材と、所定の間隔で整列配置された状態で前記支柱を支持する柱基部部材と、該柱基部部材に固定支持された前記支柱の相互間を連結する連結部材とを有して構成される簡易型防護壁。
【請求項２】
前記支柱を、係合部を有する係合柱と、前記係合部に係合する被係合部を有する被係合柱の２種の支柱で形成すると共に、前記壁形成部材を、前記係合柱と前記被係合柱の異種の支柱を有する側部用壁形成部材と、前記係合柱と前記係合柱、又は、前記被係合柱と前記被係合柱の同種の支柱を有する端部用壁形成部材とで構成した請求項１記載の簡易型防護壁。
【請求項３】
前記柱基部部材が、前記係合柱と前記被係合柱を係合した状態で固定支持するように構成した請求項１又は２に記載の簡易型防護壁。
【請求項４】
前記膜材を土木用シート材料で形成した請求項１〜３のいずれか１項に記載の簡易型防護壁。
【請求項５】
請求項１〜４のいずれか１項に記載の簡易型防護壁を組立てる方法であって、前記柱基部部材を長さ方向及び奥行き方向に整列配置し、該整列配置した前記柱基部部材に、前記壁形成部材の前記支柱を固定して前記壁形成部材を連続的に並べて区画を形成する簡易型防護壁の組立方法。
【発明の詳細な説明】
【０００１】
【発明の属する技術分野】
本発明は、土砂防護柵、簡易土留め壁、簡易擁壁、防災用壁等の簡易型防護設備を構築するための簡易型防護壁及びその組立方法に関する。
【０００２】
【従来の技術】
集中豪雨等で河川の氾濫が予想される時や、崩落土や落石等が防止するために、臨時に堰や擁壁を構築して、土砂防護柵や緊急泥流防護柵とすることは、防災面から重要であり、これに使用する部材は、保管時にはコンパクトな収納が可能で、運搬時には軽量で運び易く、組立時には特殊な工具を必要とせずに、迅速かつ簡単に組立でき、構築後は日射等に対して高い耐久性を保有していることが要求される。
【０００３】
この一つとして、特開２０００−２７３８３７号公報に、向かい合う２枚の矩形状の枠体にメッシュを取り付けたフェンスと、その両端部をそれぞれ連結するＸ形筋交いとを有して構成され、広げるとフェンスとＸ形筋交いで囲まれた直方体形となり、折り畳むと偏平状となる土のう保持柵が提案されている。
【０００４】
この土のう保持柵は、土のうを効率よく安定した状態に積み込むためのもので、使用時には、フェンスを折り畳み状態から直方体形に広げ、Ｘ形筋交いで形状を保持した後、フェンスとＸ形筋交いとで囲まれた直方体形の内部に土のうを詰め込むことにより、水止め用あるいは土留め用の堰を構築することができる。
【０００５】
また、鋼製のパネルで形成される外壁と端壁と内枠を組み立てて簡易型防護壁を形成し、この鋼製のパネルで囲まれた区画内に土砂などの充填物を投入して構築する簡易型防護設備もある。この簡易型防護壁では、外壁と端壁と内枠の配列及び組み合わせを変えることにより、平面形状が異なる配置も可能となる。
【０００６】
【発明が解決しようとする課題】
しかしながら、上記の土のう保持柵は、保持柵の配設は迅速に行うことができるが、周囲が枠体にメッシュを取り付けたフェンスとＸ形筋交いで形成されており、隙間が多いため、土砂などの充填物を一旦麻袋等に詰めて土のうにしてからでないと投入できず、全体としては時間が掛かってしまうという問題がある。
【０００７】
また、鋼製のパネルを使用した従来の防護壁は、直接土砂などを投入できるが、構成部材が重くなってしまうため、人力により運搬や組み立てが容易ではなく、重機を必要とするため、現場で手軽かつ迅速に組み立てすることができないという問題がある。
【０００８】
また、上記のフェンスや鋼製のパネルは、偏平形状となっても、折り畳みできないため、大きな保管スペースが必要になり、また、鋼製のフェンスやパネルは腐食し易いため、屋外での使用や保管に際して、製品の性能が著しく低下する恐れがあるという問題がある。
【０００９】
なお、防護設備の耐力を増す必要性から簡易型防護壁の区画内部には土砂や土のうなどを投入するので、簡易型防護壁は、構造的に安定したものである必要がある。
【００１０】
本発明は、上記の問題を解決するためになされたものであり、その目的は、現場において人力で運搬及び組み立てができるように各部材の重量が軽く、また、保管スペースを低減するために折り畳みができ、しかも、耐食性に優れた材料で形成され、区画内部の土砂などの圧力を受け持つことができる簡易型防護壁及びその組立方法を提供することにある。
【００１１】
【課題を解決するための手段】
そして、上記の目的を達成するための本発明の簡易型防護壁は、壁形成部材で囲った区画内に充填物を投入して簡易型防護設備を形成するための簡易型防護壁であって、複数本の支柱の間に膜体を設けて折り畳み可能に一体化した壁形成部材と、所定の間隔で整列配置された状態で前記支柱を支持する柱基部部材と、該柱基部部材に固定支持された前記支柱の相互間を連結する連結部材とを有して構成される。
【００１２】
この構成によれば、壁形成部材に膜材を使用しているので、軽量化を図ることができ、組立時の運搬も容易となる。また、折り畳みできるため、コンパクトな収納が可能となり、保管スペースを低減できる。また、膜材は土砂などの圧力に対して十分な耐力を保持し、構造上も安定しており、その上、膜材は耐食性に優れ、日射等に対し優れた耐久性を保有しているため、特別なメンテナンスは不要となる上に、製品の性能低下も殆ど無い。
【００１３】
そして、上記の簡易型防護壁において、前記支柱を、係合部を有する係合柱と、前記係合部に係合する被係合部を有する被係合柱の２種の支柱で形成すると共に、前記壁形成部材を、前記係合柱と前記被係合柱の異種の支柱を有する側部用壁形成部材と、前記係合柱と前記係合柱、又は、前記被係合柱と前記被係合柱の同種の支柱を有する端部用壁形成部材とで構成する。
【００１４】
この構成により、側部用壁形成部材は、係合柱と被係合柱を係合させるだけで連続した側部壁面を形成でき、端部壁形成部材も係合柱と被係合柱を係合させるだけで側部用壁形成部材と結合して端部壁面を形成できる。従って、特殊な工具を使用することなく、迅速かつ簡単に、簡易型防護壁を組立できる。
【００１５】
また、前記柱基部部材が、前記係合柱と前記被係合柱を係合した状態で固定支持するように構成することにより、部品点数や固定時の作業時の手間が省け、支柱の固定支持が簡単にできるようになる。
【００１６】
そして、前記膜材を土木用シート材料で形成することにより、市販されている安価な土木用シート材料で、丈夫な壁形成部材を形成できる。この土木用シート材料としては、ポリエステル製織布や、ポリエチレンやポリプロピレンやナイロン等を材料とする織布等がある。
【００１７】
そして、本発明の簡易型防護壁の組立方法は、上記の簡易型防護壁を組立てる方法であって、前記柱基部部材を長さ方向及び奥行き方向に整列配置し、該整列配置した前記柱基部部材に、前記壁形成部材の前記支柱を固定して前記壁形成部材を連続的に並べて区画を形成する方法である。
【００１８】
この組立方法により、土砂防護柵、緊急汚泥防護柵、簡易擁壁等として使用できる多用途の簡易型防護壁を、重機を使用することなく、迅速に組立でき、この簡易型防護壁の区画内に、土砂や小石や砂利等の充填物を投入することにより、耐力のある簡易型防護設備を設けることができる。
【００１９】
【発明の実施の形態】
以下図面を参照して本発明に係る簡易型防護壁の実施の形態について説明する。
【００２０】
図１に示すように、この簡易型防護壁１は、複数本の支柱２１の間に膜体２２を設けて折り畳み可能に一体化した壁形成部材２０と、所定の間隔で整列配置された状態で、支柱２１を支持する柱脚（柱基部部材）３０と、この柱脚３０に固定支持された支柱２１の相互間を連結する連結部材４０とを有して構成される。
【００２１】
この支柱２１は角型鋼管で形成し、更に、連結フック（係合部）２１ａを有するオス柱（係合柱）２１Ａと、この連結フック２１ａが嵌入して係合する係合孔（被係合部）２１ｂを有するメス柱（被係合柱）２１Ｂの２種の支柱２１で形成する。
【００２２】
また、壁形成部材２０は、オス柱２１Ａとメス柱２１Ｂの異種の支柱２１を有する側部用壁形成部材２０Ａと、メス柱２１Ｂとメス柱２１Ｂの同種の支柱２１を有する始端部用壁形成部材２０Ｂとオス柱２１Ａとオス柱２１Ａの同種の支柱２１を有する終端部用壁形成部材２０Ｃとで構成する。
【００２３】
そして、支柱２１間に折り畳み可能に張られる膜材２２は、ポリエステル製織布や、ポリエチレンやポリロピレンやナイロン等を材料とする織布等の土木シート材料で形成される。
【００２４】
この壁形成部材２０（２０Ａ，２０Ｂ，２０Ｃの総称して２０を使用する。以下同様）は、大きさや重量は特に限定されないが、一例を上げれば、重量が約８５ｋｇであり、膜材２２を折り畳んだ保管時の寸法が０．３×０．３×２．５ｍで、使用時に広げた場合の寸法が、幅と奥行（支柱中心間）がそれぞれ２ｍで高さ２．５ｍである。
【００２５】
そして、柱脚３０は、オス柱２１Ａとメス柱２１Ｂを係合状態で固定支持するものであり、鋼板を溶接して形成した箱３０ａと鋼板３０ｂとからなり、オス柱２１Ａとメス柱２１Ｂは箱３０ａに嵌合して柱留めピン３１によって固定され、この箱３０ａを垂直に保持するための鋼板３０ｂは、柱脚留めアンカー３２によって整地された地面に固定される。
【００２６】
そして、支柱２１の相互間を連結する連結部材４０は、端部でＸ字形状にして使用される端部ブレース４１と、壁形成部材２０の上部に膜体２２に沿って配置される頂部アングル４２と、対向する側部壁形成部材２１Ａの支柱２１の上部の間を連結するターンバックル４３ａ付きの頂部ワイヤ４３とから構成される。
【００２７】
これらの連結部材４０は、図２及び図３に示すように、端部に係止孔４０ｈを有して形成され、支柱２１の上部に設けられた頂部ピン２１ｃに挿入し、頂部ピン２１ｃの係合孔２１ｄにスナップピン２１ｅを挿入して固定される。
【００２８】
そして、更に、補強部材として端部アングル４４を端部壁形成部材２１Ｂ，２１Ｃの両側の支柱２１に渡して設ける。この端部アングル４４は固定ナット４４ａで、支柱２１のボルト２１ｆに固定される。
【００２９】
なお、これらの連結部材４０（特に４１，４２）及び端部アングル４４の係止孔を長穴にしたり、鍵穴状にしたりして、固定強度を維持したまま、取付寸法に余裕を持たせると、柱脚３０の整列配置の設置誤差や支柱２１の組立時の垂直度等の設置誤差を吸収でき、組立もより容易にできる。
【００３０】
そして、柱脚３０は柱脚留めアンカー３２を用いて地面に固定され、各々の壁形成部材２０は、連結フック２１ａを係合孔２１ｂに差し込むことで連結されたオス柱２１Ａとメス柱２１Ｂを、柱脚３０に嵌合して、直立状態に固定支持され、更に、端部壁形成部材２０Ｂ，２０Ｃの頂部ピン２１ｃには端部ブレース４１と頂部ワイヤ４３を、また、側部壁形成部材２０Ａの柱頂部には頂部アングル４２及び頂部ワイヤ４３が配置される。
【００３１】
そして、壁形成部材２０の配列及び組合わせを変えることにより、平面的に自由にレイアウトが可能となるので、直線状の簡易型防護壁１だけでなく、例えば、図４に示すようなＬ字形状の簡易型防護壁１を形成することもできる。そして、この壁形成部材２０を長さ方向及び奥行き方向に連結し、壁形成部材２０によって囲まれた区画の内部に土砂などを投入し、防護設備としての耐力を上げる。これにより、防災のためや重要物を外的衝撃から保護するための簡易型防護設備ができる。
【００３２】
次に、これらの構成部品から形成される簡易型防護壁１の組立方法について説明する。
【００３３】
最初に、簡易型防護壁１を設置する地盤を壁形成部材２０の垂直度を保てる程度まで平坦に整地する。
【００３４】
次に、仮置き領域及び作業領域を確保し、位置決め定規（図示しない）等で計測して柱脚３０の設置位置を決めて、柱脚留めアンカー３２で固定する。この長さ方向及び奥行き方向に整列配置した柱脚３０の外周に壁形成部材２０、端部ブレース４１、頂部アングル４２、頂部ワイヤ４３、端部アングル４４等を仮置きし、オス柱２１Ａの基部の印（白丸等）を目印として、仮置きの状況と組立方向の確認を行う。
【００３５】
そして、始端部壁形成部材２０Ｂの組み付け、側部壁形成部材２０Ａの組み付けと終端部壁形成部材２０Ｃの組み付けを順次行う。
【００３６】
この始端部壁形成部材２０Ｂの組み付けは、始端部壁形成部材２０Ｂの一方のメス柱２１Ｂを片隅の柱脚３０に差し込み、柱留めピン３１で固定し、端部壁形成部材２０Ｃの膜体２２を広げ、他方のメス柱２１Ｂを他の片隅の柱脚３０に差し込み、柱留めピン３１で固定する。
【００３７】
次に側部壁形成部材２０Ａの組み付けを行う。始端部壁形成部材２０Ｂのメス柱２１Ｂの係合孔２１ｂに、側部壁形成部材２０Ａのオス柱２１Ａの連結フック２１ａを３ケ所で差し込みながら、オス柱２１Ａをメス柱２１Ｂが既に差し込まれている柱脚３０に差し込み、柱留めピン３１で固定する。そして、図５に示すように、この側部壁形成部材２０Ａの膜体２２を広げ、他方のメス柱２１Ｂを隣接する柱脚３０に差し込み、柱留めピン３１で固定する。
【００３８】
同様にして、始端部壁形成部材２０Ｂの他方のメス柱２１Ｂに、側部壁形成部材２０Ａのオス柱２１Ａを係合させながら、オス柱２１Ａを柱脚３０に差し込み、柱留めピン３１で固定する。そして、図６に示すように、この側部壁形成部材２０Ａの膜体２２を広げ、他方のメス柱２１Ｂを柱脚３０に差し込み、柱留めピン３１で固定する。
【００３９】
３面が固定された所で、図７に示すように、支柱２１の頂部ピン２１ｃに端部ブレース４１と頂部ワイヤ４３を設置し、頂部ピン２１ｃの係合孔２１ｄにスナップピン２１ｅを差し込む。そして、始端部壁形成部材２０Ｂに端部アングル４４を取り付ける。
【００４０】
次に、図８に示すように、側部壁形成部材２０Ａの延長上に、上記と同様にして新たな側部壁形成部材２０Ａを設置し、Ｌ型の頂部アングル４２を背を外側にして膜体２２に沿って設置する。即ち、頂部アングル４２の両端の係止孔４０をそれぞれの支柱２１Ａ，２１Ｂの頂部ピン２１ｃに嵌めて、更に、頂部ピン２１ｃに頂部ワイヤ４３を配置し、頂部ピン２１ｃの係合孔２１ｄにスナップピン２１ｅを差し込む。
【００４１】
この側部壁形成部材２０Ａの組立手順を繰り返して、終端部まで側部壁形成部材２０Ａ，頂部アングル４２，頂部ワイヤ４３を設置して、所定の長さ及び所定の区画の大きさとし、終端部では、最初の端部と同様に、図９に示すように、端部ブレース４１と頂部ワイヤ４３を設置する。
【００４２】
終端部においては、図１０に示すように、終端部壁形成部材２０Ｃのオス柱２１Ａを側部壁形成部材２０Ａのメス柱２１Ｂに係合及び連結しながら柱脚３０に固定し、更に、端部アングル４４を取り付ける。
【００４３】
全部の壁形成部材２０の直立作業を終えた後に、各部の頂部ワイヤ４３のターンバックル４３ａを調整し、頂部ワイヤ４３に適切な緊張力を与え、防護壁１の形状を整える。この防護壁１の組立後に、連続的に並べられた壁形成部材２０により囲まれた区画内に、土砂Ｄの投入を行う。この土砂Ｄの投入は、端部から均等な高さになるように、また、局所的に大きな土圧がかからないように土砂Ｄを入れていく。この土砂Ｄの投入により防護設備が完成する。
【００４４】
次に、この簡易型防護壁の解体方法について説明する。
【００４５】
最初に、終端部壁形成部材２０Ｃを取り外す。この取り外しは、図１１に示すように、終端部壁形成部材２０Ｃの端部アングル４４を取り外す。次に図１２に示すように、オス柱２１Ａの吊りピースに吊りワイヤ５０を掛け、図示しないクレーンなどにより吊りワイヤ５０を適度に張った状態にし、柱脚３０の柱留めピン３１を抜く。
【００４６】
次に図１３に示すように、オス柱２１Ａを支えて上方向に抜き、内部の土砂Ｄの崩壊及び流出に注意しながら、連結フック２１ａをメス柱２１Ｂの係合孔２１ｂから横方向に抜く。そして、図１４に示すように、抜いたオス柱２１Ａを片側に寄せ、崩れ出した土砂Ｄを斜面の崩壊に注意しながらスコップあるいは重機を用いて掻き出す。ある程度土砂Ｄを掻き出した段階で、図１５に示すように、終端部壁形成部材２０Ｃをクレーンなどにより吊り上げて撤去する。
【００４７】
そして、更に、側部壁形成部材２０Ａへの荷重を低減させ、且つ解体を容易にするために土砂Ｄを掻き出し、この掻き出し後に、各支柱２１の頂部ピン２１ｃのスナップピン２１ｅを抜き、頂部ワイヤ４３、頂部ブレース４１を取り外し、図１６に示す状態にし、更に、図１７に示すように、側部壁形成部材２０Ａを取り外す。
【００４８】
同様な手順にて土砂を掻き出した後、図１８に示すように、頂部ワイヤ４３、頂部アングル４２、側部壁形成部材２０Ａを取り外し、同様の手順にて、始端部までのすべての頂部ワイヤ４３、頂部アングル４２、側部壁形成部材２０Ａを取り外す。なお、始端部では、頂部ワイヤ４３、頂部ブレース４１、側部壁形成部材２０Ａを取り外した後、端部アングル４４と始端部壁形成部材２０Ｂを撤去する。
【００４９】
そして、図１９に示すように、すべての壁形成部材２０を撤去した後、柱脚留めアンカー３２を抜いて柱脚３０を撤去する。これにより、簡易型防護壁１の解体が終了する。
【００５０】
【発明の効果】
以上の説明から明らかなように、本発明に係る簡易型防護壁壁を形成する部分を膜材で形成したので、軽量化ができ、また、膜材は折り畳みできるため、コンパクトな収納が可能になり、保管スペースを低減できる。また、膜材は土砂などの圧力に対して十分な耐力を保持でき、構造上も安定したものとなる。
【００５１】
その上、膜材は日射等に対し優れた耐久性を保有し、また、耐食性に優れるため、特別なメンテナンスは不要となり、製品の性能低下も抑制できる。
【００５２】
そして、本発明に係る簡易型防護壁は部品数が少なく、特殊工具も不要で組み立ても簡単であるので、土砂防護柵、緊急汚泥防護柵、簡易擁壁等として使用できる多用途の擁壁を迅速に組立できる。
【００５３】
また、本発明の簡易型防護壁の組立方法によれば、土砂防護柵、緊急汚泥防護柵、簡易擁壁等として使用できる多用途の簡易型防護壁を、重機を使用することなく、迅速かつ簡単に組立でき、この簡易型防護壁の区画内に、土砂や小石や砂利等の充填物を投入することにより、耐力のある簡易型防護設備を設けることができる。
【図面の簡単な説明】
【図１】
本発明に係る簡易型防護壁の構成を示す斜視図である。
【図２】
図１の支柱の係合状態を示す部分拡大図である。
【図３】
図１の支柱と連結部材との係合状態を示す部分拡大図である。
【図４】
本発明に係る簡易型防護壁のレイアウトの一例を示す斜視図である。
【図５】
簡易型防護壁の組立方法を示す平面図である。
【図６】
簡易型防護壁の組立方法を示す平面図である。
【図７】
簡易型防護壁の組立方法を示す平面図である。
【図８】
簡易型防護壁の組立方法を示す平面図である。
【図９】
簡易型防護壁の組立方法を示す平面図である。
【図１０】簡易型防護壁の組立方法を示す平面図である。
【図１１】簡易型防護壁の解体方法を示す平面図である。
【図１２】簡易型防護壁の解体方法を示す平面図である。
【図１３】簡易型防護壁の解体方法を示す平面図である。
【図１４】簡易型防護壁の解体方法を示す平面図である。
【図１５】簡易型防護壁の解体方法を示す平面図である。
【図１６】簡易型防護壁の解体方法を示す平面図である。
【図１７】簡易型防護壁の解体方法を示す平面図である。
【図１８】簡易型防護壁の解体方法を示す平面図である。
【図１９】簡易型防護壁の解体方法を示す平面図である。
【符号の説明】
１　簡易型防護壁
２０　壁形成部材
２０Ａ　側部用壁形成部材
２０Ｂ　始端部用壁形成部材
２０Ｃ　終端部用壁形成部材
２１　支柱
２１Ａ　オス柱（係合柱）
２１ａ　連結フック（係合部）
２１Ｂ　メス柱（被係合柱）
２１ｂ　係合孔（被係合部）
２２　膜体
３０　柱脚（柱基部部材）
４０　連結部材
４１　端部ブレース（連結部材）
４２　頂部アングル（連結部材）
４３　頂部ワイヤ（連結部材）
４４　端部アングル（補強部材）
Ｄ　土砂（充填物）
【図１】
2004060377.tif 000003
【図２】
2004060377.tif 000004
【図３】
2004060377.tif 000005
【図４】
2004060377.tif 000006
【図５】
2004060377.tif 000007
【図６】
2004060377.tif 000008
【図７】
2004060377.tif 000009
【図８】
2004060377.tif 000010
【図９】
2004060377.tif 000011
【図１０】
2004060377.tif 000012
【図１１】
2004060377.tif 000013
【図１２】
2004060377.tif 000014
【図１３】
2004060377.tif 000015
【図１４】
2004060377.tif 000016
【図１５】
2004060377.tif 000017
【図１６】
2004060377.tif 000018
【図１７】
2004060377.tif 000019
【図１８】
2004060377.tif 000020
【図１９】
2004060377.tif 000021